(57)【特許請求の範囲】
【請求項１】
歯科診療用チェアーユニットのテーブルに備えるインスツルメントハンガー（以下ハンガーという）において、
前記ハンガーのスライド部を、テーブル側に支持したスライド軸と、
ハンガーを固定するとともに該スライド軸の軸方向に摺動可能に外嵌しかつ該スライド軸の軸中心に回動可能なスライド本体と、
前記スライド本体に対し、回動によりテーブルの裏面に当接する制止板を介して固定され、制止板とともにスライド軸の軸心を中心に回動可能なハンガーと、
前記制止板の前記テーブルの裏面との当接面に設けたずれ止め用の摩擦抵抗部材と、
を具備し、
ハンガーの前方を持ち上げることで制止板に設けた摩擦抵抗部材をテーブルの裏面から離脱させて該ハンガーをスライド軸に沿って直線方向にスライド可能とし、ハンガーの所望位置でのハンガーの前方持ち上げ解除により制止板に設けた摩擦抵抗部材をテーブルの裏面に当接させてずれ止め状態とすることを特徴とする歯科用インスツルメントハンガー。
【請求項２】
歯科診療用チェアーユニットのテーブルに備えるインスツルメントハンガー（以下ハンガーという）において、
前記ハンガーのスライド部を、テーブル側に支持したスライド軸と、
ハンガーを固定するとともに該スライド軸の軸方向に摺動可能に外嵌しかつ該スライド軸の軸中心に回動可能なスライド本体と、
前記スライド本体に対し、回動によりテーブルの裏面に当接する制止板を介して固定され、制止板とともにスライド軸の軸心を中心に回動可能なハンガーと、
前記テーブルの裏面と、前記制止板のテーブルとの当接面とにわたって設けられ、互いに掛止合うことに制止板をずれ止めする凹凸形状と、
を具備し、
ハンガーの前方を持ち上げることで前記凹凸形状の掛止を解除して該ハンガーをスライド軸に沿って直線方向にスライド可能とし、ハンガーの所望位置でのハンガーの前方持ち上げ解除により前記テーブルの裏面と、前記制止板の当接面とにわたって設けた前記凹凸形状を掛止状態としてずれ止め状態とすることを特徴とする歯科用インスツルメントハンガー。
【発明の詳細な説明】
【０００１】
【発明の属する技術分野】
本発明は、歯科診療用チェアーユニットのテーブルに備えるインスツルメントハンガーに関し、特にインスツルメントハンガーの移動機構に関する。
【０００２】
【従来の技術】
歯科診療用チェアーユニットには、例えば図８に示されるように、患者が着座する椅子部４０に対して医師が診療時に必要な薬品等を載置するための方形のテーブル４１が備えられ、さらにテーブル４１の一側面にはインスツルメント４６を掛止するハンガー４２が移動可能に設けられている。そして医師は診療時に患者の体型や診療部位に応じてハンガーを診療しやすい位置に移動させることが従来から行われていた。
【０００３】
このようにインスツルメントハンガーを適切な位置に移動させるための従来の機構としては、例えば図９の平面図及び図１０の側面図に示されるように、ハンガー４２がテーブル４１に対して回転自在なアーム４３を介して接続されており、アーム４３の旋回により水平面内にて円弧運動をしつつ移動する構成のものが一般的であった。
【０００４】
【発明が解決しようとする課題】
しかしながら、テーブル４１に対するハンガー４２の移動は、前記従来の方法では、テーブル４１に対してハンガー４２が円弧運動しつつ移動するために、図１１において、医師４５はハンガー４２を２点鎖線にて示されるＡの位置に移動するとハンガー４２がテーブル４１から離れて医師側に接近し、邪魔になるとともにインスツルメントの取り扱いがしにくくなるので、ハンガー４２をＡの位置にしたままテーブル４１を医師４５から離れる方向に移動してインスツルメントを取り扱いやすくするとテーブル４１が医師４５から離れ過ぎて、テーブル４１上の薬品等の取り扱いがしにくくなってしまう。
【０００５】
またハンガー４２がＡの位置では医師４５に接近しすぎるのでテーブル４１を移動させずにハンガー４２をさらにＢの位置に移動するとハンガー４２が医師４５から後方に離れてインスツルメントの取り扱いがしにくくなるという問題があった。
【０００６】
さらに、テーブル４１に対してＺ型のアーム４３を介してハンガー４２が支持されている方式の場合は、テーブル４１の面に対してハンガー４２の位置が下方に大きく離れた位置になり、テーブル４１の上面を取り扱いしやすい位置に設定するとハンガー４２の位置が下方に下がり過ぎてインスツルメント４６の着脱操作がしにくいという問題があった。
【０００７】
さらに、ハンガー４２を移動した際に、その位置を固定する手段として軸をブレーキにて固定するか又はロックねじにて固定する方法が一般的であるが、ブレーキの場合は締めすぎると移動が重くなり、緩めすぎると診療中にハンガー４２が動いてしまうので、適切に締めなければならないが、この調整が難しい。またロックねじの場合はハンガー４１の移動時や停止時にねじを緩めたり締めたりしなければならないので操作が煩雑であるという問題があった。
【０００８】
よって本考案は前記問題点に鑑みてなされたものであり、診療時に医師や患者に対して不都合が生じない位置に移動させることが可能であるとともに、移動及び固定が簡単確実な歯科用インスツルメントハンガーの提供を目的とする。
【０００９】
【課題を解決するための手段】
上記目的を達成するため、本発明は、歯科診療用チェアーユニットのテーブルに備えるインスツルメントハンガーにおいて、前記ハンガーのスライド部を、テーブル側に支持したスライド軸と、ハンガーを固定するとともに該スライド軸の軸方向に摺動可能に外嵌しかつ該スライド軸の軸中心に回動可能なスライド本体と、前記スライド本体に対し、回動によりテーブルの裏面に当接する制止板を介して固定され、制止板とともにスライド軸の軸心を中心に回動可能なハンガーと、前記制止板の前記テーブルの裏面との当接面に設けたずれ止め用の摩擦抵抗部材と、を具備し、ハンガーの前方を持ち上げることで制止板に設けた摩擦抵抗部材をテーブルの裏面から離脱させて該ハンガーをスライド軸に沿って直線方向にスライド可能とし、ハンガーの所望位置でのハンガーの前方持ち上げ解除により制止板に設けた摩擦抵抗部材をテーブルの裏面に当接させてずれ止め状態とすること、及び、歯科診療用チェアーユニットのテーブルに備えるインスツルメントハンガー（以下ハンガーという）において、前記ハンガーのスライド部を、テーブル側に支持したスライド軸と、ハンガーを固定するとともに該スライド軸の軸方向に摺動可能に外嵌しかつ該スライド軸の軸中心に回動可能なスライド本体と、前記スライド本体に対し、回動によりテーブルの裏面に当接する制止板を介して固定され、制止板とともにスライド軸の軸心を中心に回動可能なハンガーと、前記テーブルの裏面と、前記制止板のテーブルとの当接面とにわたって設けられ、互いに掛止合うことに制止板をずれ止めする凹凸形状と、を具備し、ハンガーの前方を持ち上げることで前記凹凸形状の掛止を解除して該ハンガーをスライド軸に沿って直線方向にスライド可能とし、ハンガーの所望位置でのハンガーの前方持ち上げ解除により前記テーブルの裏面と、前記制止板の当接面とにわたって設けた前記凹凸形状を掛止状態としてずれ止め状態とすることを特徴とするものであり、前記ハンガーのスライド部を、テーブル側に支持したスライド軸と、ハンガーを固定するとともに該スライド軸の軸方向に摺動可能に外嵌しかつ該スライド軸の軸中心に回動可能なスライド本体にて構成し、前記スライド本体に対し、回動によりテーブルの裏面に当接する制止板を介してハンガーを固定するとともに、該テーブルの裏面と該制止板との当接面における少なくとも一方の側にずれ止めする摩擦抵抗部材を設けるか、又は当接面それぞれに互いに掛止合うことにより擦れ止めする凹凸形状を形成したものである。
【００１０】
本発明によれば、ハンガーがテーブルの一側面に対して直線方向に移動可能であることにより、医師に対するハンガー及びテーブルまでの距離が変わることがなく、ハンガーをどの位置に移動しても、医師はインスツルメント及びテーブル上の薬品等を無理なく取り扱うことが可能となる。
【００１１】
また、スライド軸の軸心を中心に回動するスライド本体に対して制止板を介して固定されたハンガーは、その前方が、係止されたインスツルメントの重量にて常時下方に回動して制止板がテーブルの裏面に当接することにより回動範囲が制限されるとともに、当接位置にてテーブルの裏面と制止板の相互間に設けられた摩擦抵抗部材の接触又は凹凸形状の係合により擦れ止めされる。
【００１２】
従って、移動時にはハンガーの前方を持ち上げることにより当接部相互間が離れて摩擦抵抗部材又は凹凸形状による擦れ止めが開放されスライドが可能な状態になる。これにより容易に所望の位置に移動することが可能となり、所望の位置にて手を放すだけでハンガーの前方がインスツルメントの重量にて下方に回動してテーブル裏面に摩擦抵抗部材が当接し又は凹凸形状が係合して位置がずれなくなる。これにより従来のブレーキ調整の面倒がなくなり、インスツルメントの使用中にハンガーの位置がずれることもなく、操作が簡単確実になる。
【００１３】
【発明の実施の形態】
以下、本発明の実施の形態を図面に基づいて説明する。
図１から図７は本発明の実施の形態に係り、図１はハンガーのスライド部分を示す図、図２はハンガーの作用を示す図、図３はテーブル及びハンガーを示す平面図、図４はテーブル及びハンガーを示す側面図、図５は摺動部分の拡大斜視図、図６は凹凸の係合によるスライド阻止部分の例を示す図、図７はハンガーの移動を示す図である。
【００１４】
本発明における歯科用インスツルメントハンガーは、図３及び図４に示されるように、テーブル１とテーブル本体２とが一体的に構成され、テーブル本体２の下面に対してインスツルメント３を掛止するハンガー４が移動自在に設けられている。なお図中の符号５は患者の患部の撮影像を映し出すパノラマシヤーカステンを示す。
【００１５】
ハンガー４の移動部分は、図１、図２及び図５に示されるように、スライド軸６がテーブル本体２に固定された支持部材７を介してテーブル１の一側方における水平面内に固定され、スライド軸６にはその軸心に沿って摺動自在かつ軸中心に回動自在なスライド本体８が外嵌され、スライド本体８にはテーブル１の裏面側に延びるとともにスライド本体８の回動によりテーブル１の裏面に当接して回動範囲を制限する制止板９が固定され、制止板９を介してハンガー４が固定されている。
【００１６】
また、制止板９がテーブル１の裏面に当接する面には摩擦抵抗部材としてゴム板１１が貼設されており、ゴム板１１を介してテーブルの裏面に当接することによりその摩擦抵抗にてずれ止めされている。
【００１７】
なお、テーブル１と制止板９相互間のずれ止めは、ゴム板１１に限らず、例えば図６に示されるように制止板９とテーブル本体２の相互間に凹凸形状１２ａ，１２ｂを形成して、凹凸を掛止することにより擦れ止めする構成にしてもよい。
【００１８】
次に本発明の作用について説明する。
図１に示されるように、通常はハンガー４の前方１３が、掛止されたインスツルメント３の重量によりスライド軸６の軸心を中心にして下方に回動し、制止板９がテーブル１の下面に当接した状態となり、当接部に貼設されたゴム板１１の摩擦抵抗又は凹凸形状１２の係合によりその位置からずれることが阻止されている。
【００１９】
前記状態からハンガー４の位置を移動する場合は、図２の矢印にて示されるように、ハンガー４の前方１３を持ち上げることにより制止板９がスライド軸６の軸心を中心に回動し、テーブル１の下面から離れる。これによりゴム板１１又は凹凸形状１２によるずれ止めが開放され、スライドが自在となる。
【００２０】
またハンガー４を所望の位置に移動したところで手を放すことにより、ハンガー４の前方１３が、インスツルメント３の自重にて下方に回動し、制止板９がテーブル１の下面に対しゴム板１１又は凹凸形状１２を介して当接することによりその位置にてずれ止めされ、医師がインスツルメント３を使用して診療を行うことが可能な態勢となる。
【００２１】
また、ハンガー４はスライド軸６の軸方向にスライド自在であるとともに、軸１０を中心に回転自在であるので、スライド及び回転を適宜に行うことにより図７の２点鎖線にて示されるように、水平面内にて回転しつつテーブル１の一側面に沿って移動させることが可能となる。なおハンガー４の水平面内における回転の停止は、回転軸１０に対する図示しないブレーキにて摺動抵抗を調整することにより行われる。
【００２２】
例えば、図７のＡ，Ｂ等にて移動位置が示されるように、ハンガー４はテーブル１の一側面に沿って直線的に移動することによりハンガー４が医師４５側に接近することがなく、医師４５はテーブル１までの距離を変えることなく、ハンガー４を最も診療しやすい位置に移動させることが可能となる。
【００２３】
【発明の効果】
本発明によれば、歯科診療用チェアーユニットに備えられた薬品等を載置するテーブルに対してインスツルメントハンガーを移動する際に、従来のようにハンガーが円弧運動することにより医師に対してテーブルまでの距離が変わることがなく、ハンガーを診療しやすい位置に移動することが可能となる。
【００２４】
さらに、ハンガーは移動時に前方を持ち上げればワンタッチでスライド可能な状態となり、所望の位置に移動して手を放すだけでその位置がずれ止めされるので、軸をブレーキで固定する従来方式でのインスツルメント使用時におけるホースの動きによってハンガーの位置がずれることもなく、位置をずれなくするためのブレーキ調整の面倒もなくなる。
【００２５】
以上により、医師が患者の体型や診療部位に応じてハンガーを最も診療しやすい位置に移動させることができるので、診療の作業効率を向上させることが可能となる。
【図面の簡単な説明】
【図１】本発明の実施の形態に係るハンガーのスライド部分を示す図。
【図２】ハンガーの作用を示す図。
【図３】テーブル及びハンガーを示す平面図。
【図４】テーブル及びハンガーを示す側面図。
【図５】摺動部分の拡大斜視図。
【図６】凹凸形状を係合させるずれ止め部分を示す図。
【図７】ハンガーの移動を示す図
【図８】従来の歯科診療用チェアーユニットを示す図。
【図９】従来のテーブル及びハンガーを示す平面図。
【図１０】従来のテーブル及びハンガーを示す側面図。
【図１１】従来のハンガーの作用を示す図。
【符号の説明】
１  テーブル
２  テーブル本体
３  インスツルメント
４  ハンガー
５  パノラマシヤーカステン
６  スライド軸
７  支持部材
８  スライド本体
９  制止板
１０  軸
１１  ゴム板
１２  凹凸形状
１３  前方
【図１】
0004231168.tif 000002
【図２】
0004231168.tif 000003
【図３】
0004231168.tif 000004
【図４】
0004231168.tif 000005
【図５】
0004231168.tif 000006
【図６】
0004231168.tif 000007
【図７】
0004231168.tif 000008
【図８】
0004231168.tif 000009
【図９】
0004231168.tif 000010
【図１０】
0004231168.tif 000011
【図１１】
0004231168.tif 000012